(57)【特許請求の範囲】
【請求項１】
レースＬＡと前記レースＬＡを通した孔１〜ｎで形成された複数箇所の連結部Ｊ１〜Ｊｎによって、親指部１０とウェブ７とが連結され、
前記孔１〜ｎが前記親指部１０の非捕球面Ｂ側に、前記親指部１０の先端１３側から付け根１４側に向かって１番目からｎ番目の順に複数設けられ、
前記孔１〜ｎのうち前記親指部１０の先端１３から１番目の孔１を除く、複数の孔２〜ｎのうち少なくとも１つの孔ｉの位置が下記の（１）式で定義される、グラブ
０．３≦Ｄｉ／Ｗｉ≦０．５５………（１）
但し、
ｉ：前記孔ｉの番号を前記親指部１０の先端１３側から数えた場合の２以上の自然数
Ｗｉ：前記親指部１０の非捕球面Ｂ側を正対方向ＦＤから見た場合において、前記親指部１０の延びる方向に沿った中心線ＣＬに直交し、かつ、前記孔ｉの中心を通る仮想の横断ラインＬｉ上に沿って測った親指部１０の幅
Ｄｉ：前記場合において横断ラインＬｉ上に沿って測った、前記親指部１０のウェブ７側の縁１８から前記孔ｉの中心までの距離。
【請求項２】
請求項１のグラブにおいて、
前記孔１〜ｎのうち前記親指部１０の先端１３から１番目の孔１を除く、複数の孔２〜ｎのうち少なくとも２つの孔ｉの位置が上記（１）式で定義される、グラブ。
【請求項３】
請求項２のグラブにおいて、
前記少なくとも２つの孔ｉは、前記親指部１０の付け根１４に最も近い位置に設けられた孔ｎと、前記親指部１０の付け根１４に２番目に近い位置に設けられた孔（ｎ−１）とを包含する、グラブ。
【請求項４】
レースＬＡと前記レースＬＡを通した孔１〜ｎで形成された複数箇所の連結部Ｊ１〜Ｊｎによって、親指部１０とウェブ７とが連結され、
前記孔１〜ｎが前記親指部１０の非捕球面Ｂ側に、前記親指部１０の先端１３側から付け根１４側に向かって１番目からｎ番目の順に複数設けられ、
前記孔１〜ｎのうち前記親指部１０の先端１３から１番目および２番目の孔１，２を除く、複数の孔３〜ｎのうち少なくとも１つの孔ｉの位置が下記の（１）式で定義される、グラブ
０．３≦Ｄｉ／Ｗｉ≦０．５５………（１）
但し、
ｉ：前記孔ｉの番号を前記親指部１０の先端１３側から数えた場合の３以上の自然数
Ｗｉ：前記親指部１０の非捕球面Ｂ側を正対方向ＦＤから見た場合において、前記親指部１０の延びる方向に沿った中心線ＣＬに直交し、かつ、前記孔ｉの中心を通る仮想の横断ラインＬｉ上に沿って測った親指部１０の幅
Ｄｉ：前記場合において横断ラインＬｉ上に沿って測った、前記親指部１０のウェブ７側の縁１８から前記孔ｉの中心までの距離。
【請求項５】
請求項４のグラブにおいて、
前記孔１〜ｎのうち前記親指部１０の先端１３から１番目および２番目の孔１，２を除く、複数の孔３〜ｎのうち少なくとも２つの孔ｉの位置が上記（１）式で定義される、グラブ。
【請求項６】
請求項５のグラブにおいて
前記少なくとも２つの孔ｉは、前記親指部１０の付け根１４に最も近い位置に設けられた孔ｎと、前記親指部１０の付け根１４に２番目に近い位置に設けられた孔（ｎ−１）とを包含する、グラブ。
【請求項７】
レースＬＡと前記レースＬＡを通した孔１〜ｎで形成された複数箇所の連結部Ｊ１〜Ｊｎによって、親指部１０とウェブ７とが連結され、
前記孔１〜ｎが前記親指部１０の非捕球面Ｂ側に、前記親指部１０の先端１３側から付け根１４側に向かって１番目からｎ番目の順に複数設けられ、
前記孔１〜ｎのうち前記親指部１０の先端１３から前記親指部１０の付け根１４までの長さを４等分した先端部分の領域Ａ４を除く領域Ａ１に設けられた複数の孔２〜ｎのうち少なくとも１つの孔ｉの位置が下記の（１）式で定義される、グラブ
０．３≦Ｄｉ／Ｗｉ≦０．５５………（１）
但し、
ｉ：前記孔ｉの番号を前記親指部１０の先端１３側から数えた場合の自然数
Ｗｉ：前記親指部１０の非捕球面Ｂ側を正対方向ＦＤから見た場合において、前記親指部１０の延びる方向に沿った中心線ＣＬに直交し、かつ、前記孔ｉの中心を通る仮想の横断ラインＬｉ上に沿って測った親指部１０の幅
Ｄｉ：前記場合において横断ラインＬｉ上に沿って測った、前記親指部１０のウェブ７側の縁１８から前記孔ｉの中心までの距離。
【請求項８】
請求項７のグラブにおいて、
前記先端部分の領域Ａ４を除く領域Ａ１に設けられた複数の孔２〜ｎのうち少なくとも２つの孔ｉの位置が上記の（１）式で定義される、グラブ。
【請求項９】
請求項８のグラブにおいて、
前記少なくとも２つの孔ｉは、前記親指部１０の付け根１４に最も近い位置に設けられた孔ｎと、前記親指部１０の付け根１４に２番目に近い位置に設けられた孔（ｎ−１）とを包含する、グラブ。
【請求項１０】
レースＬＡと前記レースＬＡを通した孔１〜ｎで形成された複数箇所の連結部Ｊ１〜Ｊｎによって、親指部１０とウェブ７とが連結され、
前記孔１〜ｎが前記親指部１０の非捕球面Ｂ側に、前記親指部１０の先端１３側から付け根１４側に向かって１番目からｎ番目の順に複数設けられ、
前記孔１〜ｎのうち前記親指部１０の先端１３から前記親指部１０の付け根１４までの長さを３等分した先端部分の領域Ａ３を除く領域Ａ２に設けられた複数の孔３〜ｎのうち少なくとも１つの孔ｉの位置が下記の（１）式で定義される、グラブ
０．３≦Ｄｉ／Ｗｉ≦０．５５………（１）
但し、
ｉ：前記孔ｉの番号を前記親指部１０の先端１３側から数えた場合の自然数
Ｗｉ：前記親指部１０の非捕球面Ｂ側を正対方向ＦＤから見た場合において、前記親指部１０の延びる方向に沿った中心線ＣＬに直交し、かつ、前記孔ｉの中心を通る仮想の横断ラインＬｉ上に沿って測った親指部１０の幅
Ｄｉ：前記場合において横断ラインＬｉ上に沿って測った、前記親指部１０のウェブ７側の縁１８から前記孔ｉの中心までの距離。
【請求項１１】
請求項１０のグラブにおいて、
前記先端部分の領域Ａ３を除く領域Ａ２に設けられた複数の孔３〜ｎのうち少なくとも２つの孔ｉの位置が上記（１）式で定義される、グラブ。
【請求項１２】
請求項１１のグラブにおいて、
前記少なくとも２つの孔ｉは、前記親指部１０の付け根１４に最も近い位置に設けられた孔ｎと、前記親指部１０の付け根１４に２番目に近い位置に設けられた孔（ｎ−１）とを包含する、グラブ。
【請求項１３】
請求項１〜１２のいずれか１項において、
前記Ｄｉ／Ｗｉの値が下記の（２）式で定義される、グラブ
０．３≦Ｄｉ／Ｗｉ≦０．５………（２）。
【発明の詳細な説明】
【技術分野】
【０００１】
本発明は野球、準硬式、軟式およびソフトボールのグラブに関する。
【背景技術】
【０００２】
新品の野球用グラブは硬くて、開けたり閉じたりする操作が難しく、捕球ミスを誘発する可能性が高い。そのため、使用者が最も操作し易い型に型付けすることが行われている。型付けの経験が少ない場合、使用者が捕球操作し易い型に型付けすることは難しい。そこで、型付けしなくても閉じ易いグラブが開発されている。（特許文献１〜５）。
【先行技術文献】
【特許文献】
【０００３】
【特許文献１】ＪＰ２００１−１２９１４６Ａ
【特許文献２】ＪＰ５０−００２３０１Ｂ
【特許文献３】ＪＰ２００５−３１２５０７Ａ
【特許文献４】ＪＰ２００３−１９０３５５Ａ
【特許文献５】ＪＰ１０−３２８３４５Ａ
【発明の概要】
【０００４】
これらの先行技術においては、レースと孔で形成された連結部の孔の位置を親指部の中心に近づけることで、捕球操作の屈曲性を向上させたグラブは開示されていない。
【０００５】
たとえば、特開２００３−１９０３５５の図１および図５ではウェブと親指部との連結部の孔が親指部の中央寄りに位置しているように見える。しかし、これはグラブを見る角度によって、そのように見えていることについて説明する。
グラブの指部は楕円形に近い断面を持っている。図１１（ａ）のようにウェブ７を正面とした角度では孔１〜４が親指部の中央寄りに連結されているように見える。しかし、図１１（ｂ）の親指部に正対した角度では孔１〜４が親指部１０の縁１８に近い位置に配置されていることが分かる。
【０００６】
特開２００３−１９０３５５の図１、図５は、ウェブが正面に位置するように見た図である。そのため、連結部の孔が親指部の中央寄りに位置しているように見えている。しかし、親指部が正面に位置するように見た場合、連結部の孔は前記図１１（ｂ）の従来のグラブと同様に親指部のウェブ側の縁の近傍に位置していることが理解される。
【０００７】
また、前記特許文献１〜５に開示された発明は部品点数や製造工数が増加するなどの課題がある。
【０００８】
したがって、本発明の目的は部品点数や製造工数が増加することなく、捕球操作のための屈曲が容易な（閉じ易い）グラブを提供することである。
【０００９】
本発明の構成の説明に先立って本発明の原理について説明する。
図３のグラブを図４のように閉じる場合、ウェブ７連結部Ｊｉおよび親指部１０は、図９（ａ）のような一端固定の力学的モデルに置き換えることができる。
【００１０】
図９（ａ）のモデルにおいて、円管と同様に、ウェブ７の左右の中間の部位は固定端７０となる。同モデルにおいて、ウェブ７は弾性変形する弾性体にモデル化することができる。一方、親指部１０は硬い芯等があるため剛体にモデル化することができる。また、連結部Ｊはレースおよび孔で構成され、前記ウェブ７と親指部１０とを連結する回転バネにモデル化することができる。
【００１１】
グラブを閉じる際に、親指（幅αｆ＝２０ｍｍ）が硬い親指芯（幅α＝４０ｍｍ）を押す想定で、剛体である親指部１０の中心部αｆに荷重Ｆ１が負荷されると考えられる。前記荷重Ｆ１は図３のグラブを閉じる親指の動作から角θ＝２０°の方向に設定した。
【００１２】
今、図９（ａ）および（ｂ）は、親指部１０のウェブ７側の縁１８に近い位置に回転バネである連結部Ｊが配置された場合を示す。この場合、弾性体であるウェブ７は、図９のように曲げ変形を呈すると共に圧縮方向にも荷重Ｆ１の分力を受ける。圧縮されたウェブ７は変曲点を持つような複雑な形状に変形する。そのため、ウェブ７の曲げ変形に大きな荷重が必要となる。
【００１３】
一方、図９（ｅ）および（ｆ）は、親指部１０の反ウェブ７側の縁１９に近い位置に回転バネである連結部Ｊが配置された場合を示す。この場合、親指部１０が連結部Ｊを中心として回転し、そのため、ウェブ７の変形だけでなく、親指部１０の回転のために荷重Ｆ１が使われてしまう。したがって、ウェブ７の曲げ変形に大きな荷重が必要となる。
【００１４】
図９（ｃ）および（ｄ）は、親指部１０の中心に近い位置に回転バネである連結部Ｊが配置された場合を示す。この場合、連結部Ｊと荷重Ｆ１の負荷される中心部αｆとが重なるため、荷重Ｆ１がウェブ７の曲げに対し、効率よく作用する。
【００１５】
以上の説明から、原則として、連結部Ｊの位置がウェブ７の曲げ変形、すなわち、グラブの閉じ易さに大きな影響を与え、荷重Ｆ１が負荷される位置に連結部Ｊを配置することでグラブが閉じ易くなると推測される。
【００１６】
つぎに、前記原則に例外があることについて説明する。
図３の開いたグラブは、ウェブ７と親指部１０との間を連結部Ｊ１のレースＬＡが大きなストレスのない状態で連結している。
【００１７】
図４の閉じたグラブでは先端から３番目の連結部Ｊ３は滑らかに湾曲しており、前記モデルで想定したような回転バネのような変形を呈している。しかし、最先端の連結部Ｊ１のレースＬＡはウェブ７と親指部１０との間で強く圧縮されると共に大きく捩じれていることが分かる。また、先端から２番目の連結部Ｊ２のレースＬＡはウェブ７と親指部１０との間で若干圧縮されると共に若干捩じれていることが分かる。
【００１８】
このように、先端に近い２つの連結部Ｊ１，Ｊ２にストレスが生じる理由は、図３の開いた状態から図４の閉じた状態に変化するまでに親指部１０の先端側の変位量が親指部１０の付け根側に比べ著しく大きいためであろうと推測される。したがって、親指部１０の先端付近では、前記連結部Ｊの位置とグラブの閉じ易さとの相関関係は前記原則に従わないと推測される。
【００１９】
以上のような推測に基づいて、本発明者は更に鋭意研究を重ね本発明を完成した。
【００２０】
すなわち、本発明のグラブは第１局面において、レースＬＡと前記レースＬＡを通した孔１〜ｎで形成された複数箇所の連結部Ｊ１〜Ｊｎによって、親指部１０とウェブ７とが連結され、
前記孔１〜ｎが前記親指部１０の非捕球面Ｂ側に複数設けられ、
前記孔１〜ｎのうち前記親指部１０の先端１３から１番目の孔１を除く、複数の孔２〜ｎのうち少なくとも１つの孔ｉの位置が下記の（１）式で定義される。
０．３≦Ｄｉ／Ｗｉ≦０．５５………（１）
但し、
ｉ：前記孔ｉの番号を前記親指部１０の先端１３側から数えた場合の２以上の自然数
Ｗｉ：前記親指部１０の非捕球面Ｂ側を正対方向ＦＤから見た場合において、前記親指部１０の延びる方向に沿った中心線ＣＬに直交し、かつ、前記孔ｉの中心を通る仮想の横断ラインＬｉ上に沿って測った親指部１０の幅
Ｄｉ：前記場合において横断ラインＬｉ上に沿って測った、前記親指部１０のウェブ７側の縁１８から前記孔ｉの中心までの距離。
【００２１】
第１局面において、前記先端１３から１番目の孔１を除いた理由は、前述のとおり、親指部１０の先端１３付近では、前記連結部Ｊの位置とグラブの閉じ易さと相関関係が得られないと推測されるからである。
【００２２】
第１局面において、前記１番目の孔１を除く複数の孔２〜ｎのうち少なくとも１つの孔ｉの位置についてＤｉ／Ｗｉの値が前記（１）式の範囲に設定されている。そのため、前記孔ｉの位置が親指部１０の両縁から離れた位置となる。したがって、前述のとおり、図９（ｄ）の連結部Ｊと荷重Ｆ１の負荷される中心部αｆとが重なるため、荷重Ｆ１がウェブ７の曲げに対し、効率よく作用する。その結果、型付けしなくてもグラブが閉じ易くなる。
前記Ｄｉ／Ｗｉの値を０．３〜０．５５に設定した理由は、後述するように、前記値が０．３よりも小さい場合や０．５５よりも大きい場合はグラブが閉じ易くなりにくいからである。
【００２３】
なお、前記先端１３から１番目の孔１については、前記（１）式で定義される位置に配置されてもよいし、配置されなくてもよい。
【００２４】
本発明のグラブは第２局面において、前記孔１〜ｎのうち前記親指部１０の先端１３から前記親指部１０の付け根１４までの長さを４等分した先端部分Ａ４を除く領域Ａ１に設けられた複数の孔２〜ｎのうち少なくとも１つの孔ｉの位置が上記（１）式で定義される。
【００２５】
第２局面において、親指部１０の先端部分Ａ４の領域を除いた理由は、前述のとおり、親指部１０の先端付近では、前記連結部Ｊの位置とグラブの閉じ易さと相関関係が得られないと推測されるからである。
【００２６】
第２局面において、前記先端部分Ａ４を除く領域Ａ１に設けた複数の孔２〜ｎのうち少なくとも１つの孔ｉ位置についてＤｉ／Ｗｉの値が前記（１）式の範囲に設定されている。そのため、前記孔ｉの位置が親指部１０の両縁から離れた位置となる。したがって、前述のとおり、図９（ｄ）の連結部Ｊと荷重Ｆ１の負荷される中心部αｆとが重なるため、荷重Ｆ１がウェブ７の曲げに対し、効率よく作用する。その結果、型付けしなくてもグラブが閉じ易くなる。
なお、本発明のグラブは部品点数や製造工数が増加しにくい。
【００２７】
この場合、上記（１）式のｉは一般に２以上の自然数となるであろう。また、前記先端部分Ａ４の領域に設けられた孔１については前記（１）式で定義される位置に配置されてもよいし、配置されなくてもよい。
【図面の簡単な説明】
【００２８】
【図１】本発明の一実施例を示すグラブを捕球面側から見た斜視図である。
【図２】同グラブを同背面側から見た斜視図である。
【図３】同グラブを開いた状態で示す平面図である。
【図４】同グラブを閉じた状態で示す平面図である。
【図５】同グラブのウェブを正面にした正面図である。
【図６】（ａ）は親指部の正対方向から見たグラブの正面図、（ｂ）は正対方向を示すための模式図である。
【図７】図７Ａおよび図７Ｂは正対方向から見た親指部の正面図である。
【図８】図８Ａはパッドの構造を示す斜視図、図８Ｂは親指部および連結部の横断面図図である。
【図９】ウェブ、連結部および親指部の力学的モデルを示す模式図である。
【図１０】他の例を示すグラブの概略正面図である。
【図１１】従来のグラブを示す正面図である。
【図１２】シミュレーションの結果を示す図である。
【図１３】シミュレーションの結果を示す図である。
【図１４】２５ｍｍの変位を得るために必要な荷重と連結部の位置との関係を示す図である。
【発明を実施するための形態】
【００２９】
第１局面において好ましくは、
前記孔１〜ｎのうち前記親指部１０の先端１３から１番目および２番目の孔１，２を除く、複数の孔３〜ｎのうち少なくとも１つの孔ｉの位置が上記の（１）式で定義される。
なお、この場合、上記（１）式のｉは３以上の自然数となる。
【００３０】
この場合、前記連結部Ｊの位置とグラブの閉じ易さとの相関関係が強い孔３〜ｎのうちのいずれか１つの孔ｉの位置が親指部１０の両縁から離れた位置となる。その結果、型付けしなくてもグラブを更に閉じ易くなるであろう。
【００３１】
第１局面において好ましくは、
前記孔１〜ｎのうち前記親指部１０の先端１３から１番目の孔１または１番目および２番目の孔１，２を除く、複数の孔２〜ｎのうち少なくとも２つの孔ｉの位置が上記（１）式で定義される。
【００３２】
この場合、前記連結部Ｊの位置とグラブの閉じ易さとの相関関係が強い２つの孔ｉの位置が親指部１０の両縁から離れた位置となる。その結果、型付けしなくてもグラブを更に閉じ易くなるであろう。
【００３３】
第２局面において好ましくは、
前記孔１〜ｎのうち前記親指部１０の先端１３から前記親指部１０の付け根１４までの長さを３等分した先端部分Ａ３を除く領域Ａ２に設けられた複数の孔２〜ｎのうち少なくとも１つの孔ｉの位置が上記の（１）式で定義される。
【００３４】
この場合、前記連結部Ｊの位置とグラブの閉じ易さとの相関関係が強い付け根側の２／３の領域Ａ２においていずれか１つの孔ｉ位置が親指部１０の両縁から離れた位置となる。その結果、型付けしなくてもグラブを更に閉じ易くなるであろう。
【００３５】
なお、この場合、上記（１）式のｉは一般に２以上または３以上の自然数となるであろう。
また、前記先端部分の領域Ａ３に設けられた孔については前記（１）式で定義される位置に配置されてもよいし、配置されなくてもよい。
【００３６】
第２局面において好ましくは、
前記先端部分Ａ３またはＡ４を除く領域Ａ２，Ａ１に設けられた複数の孔２〜ｎ，３〜ｎのうち少なくとも２つの孔ｉの位置が上記（１）式で定義される。
【００３７】
この場合、前記連結部Ｊの位置とグラブの閉じ易さとの相関関係が強い付け根側の領域Ａ１，Ａ２において２つの孔ｉの位置が親指部１０の両縁から離れた位置となる。その結果、型付けしなくてもグラブを更に閉じ易くなるであろう。
【００３８】
第１および第２局面の双方において更に、好ましくは、
前記少なくとも２つの孔ｉは、前記親指部１０の付け根１４に最も近い位置に設けられた孔ｎと、前記親指部１０の付け根１４に２番目に近い位置に設けられた孔（ｎ−１）とを包含する。
【００３９】
この場合、前記連結部Ｊの位置とグラブの閉じ易さとの相関関係が強いであろう付け根側の（ｎー１）番目およびｎ番目の孔（ｎー１），ｎの位置が親指部１０の両縁から離れた位置となる。その結果、型付けしなくてもグラブを更に閉じ易くなるであろう。
【００４０】
本発明において好ましくは、
前記Ｄｉ／Ｗｉの値が下記の（２）式で定義される。
０．３≦Ｄｉ／Ｗｉ≦０．５………（２）
【００４１】
この場合、後述するように、グラブを更に閉じ易くなるであろう。
【実施例】
【００４２】
以下、本発明の実施例を図面にしたがって説明する。
図１〜図９は実施例１を示す。
【００４３】
図１において、野球用のグラブは第１指〜第５指を各々挿入する５本の指部１０〜５０を備える。親指用の親指部１０と第２指（人差指）用の人差指部２０との間には、板状、格子状、網状などのウェブ７が設けられている。前記各指部１０〜５０は袋状で、手の挿入口６０を形成する本体部６から指先に向かって突出する。
【００４４】
本発明において、本体部６とは手の掌や手の甲を覆う部位をいう。
指部１０〜５０とは指を挿入するための袋状の部位で、指袋のうちの前記本体部６から突出している部位をいう。
【００４５】
前記本体部６および各指部１０〜５０はボールを受ける捕球面Ｆと、その反対側の背面Ｂ（図２）とを備える。互いに隣り合う指部同士は例えば革紐からなるレースを含む連結部によって互いに連結されている。図２の人差指部２０とウェブ７との間や図５および図６のウェブ７と親指部１０との間は、レースＬＡを含む連結部Ｊｉによって互いに連結されている。
【００４６】
図８Ｂにおいて、親指部１０は内皮１６および外皮１７を備える。本実施例の場合、前記外皮１７は背面Ｆにおいて２分割されている。互いに隣り合う外皮１７，１７の間には板状のハミダシ１２が挟まれている。前記ハミダシ１２は図６に明示するように、親指部１０の中心線ＣＬ（図７Ｂ）に沿ってグラブの表面にライン状に現れる。
【００４７】
複数箇所の各連結部Ｊ１〜ＪｎはレースＬＡと前記レースＬＡを通した孔１〜ｎで形成され、親指部１０とウェブ７とを連結する。なお、各孔ｉは親指部１０の非捕球面Ｂ側に設けられ、図８Ｂのように、外皮１７を貫通している。
【００４８】
図７Ｂにおいて、前記孔１〜ｎのうち前記親指部１０の先端１３から１番目の孔１を除く、複数の全ての孔２〜ｎ位置は下記の（１）式で定義される位置の設定されている。
０．３≦Ｄｉ／Ｗｉ≦０．５５………（１）
本実施例の（１）式において、ｉは前記孔ｉの番号を前記親指部１０の先端１３側から数えた場合の２以上の自然数である。
【００４９】
親指部１０の幅Ｗｉは、前記親指部１０の非捕球面Ｂ側を正対方向ＦＤ（図６（ｂ））から見た場合において、前記親指部１０の延びる方向に沿った中心線ＣＬに直交し、かつ、前記孔ｉの中心を通る仮想の横断ラインＬｉ上に沿って測った値である。
ここで、「正対方向」とは図６（ｂ）の親指部側面を通るハミダシ１１（図１参照）又は皮革の縁１８，１９を含む平面に垂直な方向ＦＤをいう。
【００５０】
図６（ａ）の親指部１０の延びる方向に沿った１本の中央のハミダシ１２がある場合、中央の前記ハミダシ１２が延びる方向に沿って前記中心線ＣＬを設定してもよい。例えば中央の前記ハミダシ１２が１本である場合、前記中心線ＣＬは一部において、中央のハミダシ１２上や中央のハミダシ１２に平行に設定されてもよい。
【００５１】
前記距離Ｄｉは、前記各横断ラインＬｉ上に沿って測った、前記親指部１０のウェブ７側の縁１８から前記孔ｉの中心までの距離である。
【００５２】
本実施例の場合、前記２番目以後の孔ｉ（２〜ｎ）の前記距離Ｄｉは下記（３）式のように親指部１０の付け根１４に近づくに従い大きくなるように設定されている。
Ｄ２＜Ｄ３＜Ｄ４………（３）
これは親指部１０の幅Ｗｉが付け根１４に近づくに従い大きいためである。
【００５３】
本実施例の場合、前記２番目以後の孔ｉ（２〜ｎ）は、それぞれ、ウェブ７側の縁１８までの距離Ｄｉよりも中央のハミダシ１２までの距離の方が小さくてもよい。
本実施例の場合、前記２番目以後の孔ｉ（２〜ｎ）は先端１３から付け根１４に近づくに従い、中央のハミダシ１２までの距離が小さくなるように設定されていてもよい。
【００５４】
本実施例においては、前記孔１〜ｎのうち前記親指部１０の先端１３から前記親指部１０における前記ウェブ７の付け根１４に相当する部位までの長さを４等分した先端部分の領域Ａ４を除く付け根側領域Ａ１に設けられた複数の孔２〜ｎの全ての孔ｉ（２〜ｎ）の位置が前記（１）式で定義されるように、孔ｉが設けられていてもよい。
なお、先端部分の領域Ａ４の長さは親指部１０の長さの１／４である。
【００５５】
また、前記孔１〜ｎのうち前記親指部１０の先端１３から前記親指部１０における前記ウェブ７の付け根１４に相当する部位までの長さを３等分した先端部分の領域Ａ３を除く付け根側領域Ａ２に設けられた複数の孔２〜ｎの全ての孔ｉ（３〜ｎ）の位置が前記（１）式で定義されるように、孔ｉが設けられていてもよい。
なお、先端部分の領域Ａ３の長さは親指部１０の長さの１／３である。
【００５６】
ここで、「親指部１０の付け根１４」とは、親指部１０のウェブ７側の縁１８と本体部６との交点Ｐを通り、前記中心線ＣＬに直交する仮想のラインで定義される。なお、一般に、前記先端部分の領域Ａ３，Ａ４には使用者の親指は入り込まない。
【００５７】
図８Ａに示すように親指部１０にはフェルト製等の芯材１００〜１０２が設けられていてもよい。
本実施例において、親指のＭＰ関節部の屈曲でグラブが屈曲しやすいように、親指部１０から本体部６に延びる２層のフェルト製の芯材１００、１０１のうち少なくとも一方の芯材１０１を、親指のＭＰ関節に沿って分断してもよい。これにより、より小さな力でもグラブの屈曲動作をおこなうことができる。
【００５８】
特に図８Ａに示したように、２層のフェルト製の芯材１００、１０１のうち手のひら側に配置された芯材１０１のみを分断しておくことが好ましい。２層のフェルト製の芯材１００、１０１のうち捕球面Ｆ側に配置された芯材１００を分断した場合、分断された芯材同士の距離が近いと、グラブを屈曲させたときに捕球面側の芯材同士がぶつかって緩衝しやすくなる。加えて、グラブの捕球面Ｆのうち芯材の分断位置において圧縮皺が発生しやすくなる。このような芯材同士の緩衝や圧縮皺はボールの捕球をしにくくする要因となる。
これに対し、本実施例のように２層のフェルト製の芯材１００、１０１のうち手のひら側に配置された芯材１０１のみを分断しておくことによって、よりスムーズにグラブの屈曲動作をしやすくするとともに圧縮皺の発生を抑制することができる。
また、手のひら側の芯材１０１を分断することで、分断された２つの芯材１０１，１０１が屈曲により干渉することを避けることができる。
【００５９】
更に、別のフェルト製の芯材１０２を本体部６に追加し、いわゆる土手部を盛り上げることで、グラブを閉じなくても捕球後のボールが下に落ちにくいようにしてもよい。
【００６０】
図１０は別の実施例を示す。
【００６１】
図１０（ａ）および（ｂ）のように、先端の２つの孔１，２が前記（１）式または（２）式で定義される値Ｄｉ／Ｗｉの範囲ＡＲよりも縁１８に近い位置に配置されてもよい。また、図１０（ｃ）のように、先端から２番目の孔２のみが前記（１）式または（２）式で定義される値Ｄｉ／Ｗｉの範囲ＡＲに設けられていてもよい。
【００６２】
また、図１０（ａ）、（ｂ）に示すように、ウェブ７はウェブの領域全体に拡がる板状でもよいし、全体が網状であってもよい。
【００６３】
つぎに、本発明の効果を明瞭にするために、電子計算機を用いたシミュレーションについて説明する。
まず、図９（ａ）〜（ｆ）に示すように、グラブのウェブ７、親指部１０および連結部Ｊを前述のとおりモデル化した。
【００６４】
前記モデルの親指部１０に荷重Ｆ１を負荷し、荷重Ｆ１と変位との関係の計算を行った。変位は親指部１０の縁１８から連結部Ｊの一部である孔までの距離Ｒの箇所で算出した。その結果を図１２に示す。
【００６５】
図１２から分かるように、距離Ｒが０〜１０ｍｍまでの範囲では、つまり図９（ａ），（ｂ）のように、回転バネがウェブ側の縁１８に近い場合には、変位に対する荷重が大きい。つまり、グラブが閉じにくい。
【００６６】
また、図１２から分かるように、距離Ｒが２２．５〜３０ｍｍの範囲では、つまり図９（ｅ），（ｆ）のように、回転バネが反ウェブ側の縁１９に近い場合も、変位に対する荷重が大きい。つまり、グラブが閉じにくい。
【００６７】
以上より、図９（ｃ）．（ｄ）のように回転バネが両縁１８，１９から離れた中央付近に位置する場合にグラブが閉じ易いことが分かった。そこで、更に詳細なシミュレーションを行った。その結果を図１３に示す。
【００６８】
図１３の前記変位が２５ｍｍである場合に必要な荷重を図１４に示す。図１４から幅に対する距離Ｒの比、つまりＤｉ／Ｗｉの値が０．３〜０．５５である場合に荷重が小さくなり、グラブが閉じ易いことが分かる。
【００６９】
また、同図から前記Ｄｉ／Ｗｉの値が０．３５以上の場合や０．５以下の場合には、前記荷重が更に小さくなり、グラブが閉じ易くなり、前記値Ｄｉ／Ｗｉは０．３７５以上，０．５以下が最も好ましいことが分かる。
【産業上の利用可能性】
【００７０】
本発明のグラブは野球の他に、準硬式、軟式およびソフトボール用として利用できる。
【符号の説明】
【００７１】
１〜４（ｎ），ｉ：孔
Ｊ，Ｊ１〜Ｊ４（Ｊｎ），Ｊｉ：連結部
１０：親指部  １１，１２：ハミダシ  １３：先端  １４：付け根  
１６：内皮  １７：外皮  １８，１９：縁
２０：人差指部  ３０〜５０：他の指部
６：本体部  ６０：挿入口
７：ウェブ  ７０：固定端
Ｂ：非捕球面  Ｆ：捕球面
Ｄｉ：距離  Ｗｉ：幅
ＣＬ：中心線  ＦＤ：正対方向
ＬＡ：レース  Ｌｉ：横断ライン  
【図１】
0006504712.tif 000002
【図２】
0006504712.tif 000003
【図３】
0006504712.tif 000004
【図４】
0006504712.tif 000005
【図５】
0006504712.tif 000006
【図６】
0006504712.tif 000007
【図７】
0006504712.tif 000008
【図８】
0006504712.tif 000009
【図９】
0006504712.tif 000010
【図１０】
0006504712.tif 000011
【図１１】
0006504712.tif 000012
【図１２】
0006504712.tif 000013
【図１３】
0006504712.tif 000014
【図１４】
0006504712.tif 000015